(57)【要約】【課題】  植木鉢を家の内外の壁面に又は塀の壁面等に懸架して、植え込まれた草花等の観賞用植物を空間に展示して観賞することができる植木鉢用懸架具を提供する。【解決手段】  合成樹脂製の円壺状の植木鉢の側部に設けた３ヶ所の穴明きを有する懸架板と該懸架板の穴明きと嵌合する懸架用留具であって、前記懸架用留具が、壁面に螺着する貼着用ねじ穴を有する貼着板と該貼着板とＬ字型に一体に形成され、かつ、前記植木鉢の側部と当接可能な円弧状端面を有する張出し板と該貼着板から２枚の隔壁により離隔した位置で該張出し板上にほぼ垂直に立設され、かつ、上部の２ヶ所に突起部を形成した懸架板受けとからなる留具本体と、前記貼着板と前記懸架板受けと２枚の前記隔壁に囲まれる開口部に挿嵌され、かつ、上端部に１ヶ所の懸架板受けの突起部を形成し、かつ、上部両端部で２枚の前記隔壁の上部を横架して咬持する懸架用中子と、から構成されることを特徴とする。【選択図】図１
0003115526.tif 000002
【実用新案登録請求の範囲】
【請求項１】
合成樹脂製の円壺状又は逆円錐台状の植木鉢の側部に設けた３ヶ所の穴明きを有する単数又は複数の懸架板と、該懸架板の穴明きと嵌合する懸架用留具と、から構成される植木鉢用懸架具であって、前記懸架用留具が、合成樹脂製又は金属製であり、壁面に螺着又は釘着する複数の貼着用ねじ穴を有する貼着板と該貼着板とＬ字型に一体に形成され、かつ、反貼着板側に前記植木鉢の側部と当接可能な円弧状端面を有する張出し板と該貼着板から２枚の隔壁により離隔した位置で該張出し板上にほぼ垂直に立設され、かつ、上部の離間した２ヶ所に突起部を形成した懸架板受けとからなる留具本体と、前記貼着板と前記懸架板受けと２枚の前記隔壁に囲まれる四角形の開口部に挿嵌され、かつ、上端部に１ヶ所の懸架板受けの突起部を形成し、かつ、上部両端部で２枚の前記隔壁の上部を横架して咬持する懸架用中子と、から構成されることを特徴とする植木鉢用懸架具。
【請求項２】
合成樹脂製の円壺状又は逆円錐台状の植木鉢の側部に設けた３ヶ所の穴明きを有する単数又は複数の懸架板と、該懸架板の穴明きと嵌合する懸架用留具と、から構成される植木鉢用懸架具であって、前記懸架用留具が、合成樹脂製又は金属製であり、壁面に螺着又は釘着する複数の貼着用ねじ穴を有する貼着板と該貼着板とＬ字型に一体に形成され、かつ、反貼着板側に前記植木鉢の側部と当接可能な円弧状端面を有する張出し板と該貼着板から２枚の隔壁により離隔した位置で該張出し板上にほぼ垂直に立設され、かつ、上部の離間した２ヶ所に突起部を形成した懸架板受けとからなる留具本体と、上端部に１ヶ所の懸架板受けの突起部を形成し、かつ、上部両端部で２枚の前記隔壁の上部を横架して咬持し、かつ、前記貼着板と前記懸架板受けと２枚の前記隔壁に囲まれる四角形の開口部に挿嵌し前記張出し板から下方へ突出した突出部の両側部に契合楔部を備えた懸架用中子と、上部で前記懸架用中子の契合楔部と咬合し、かつ、下部に上下３ヶ所にわたり夫々、幅と奥行き長さの異なる支持片受け部を設けた間隔用支持片受け部と、前記支持片受け部に嵌合可能な３段の幅と突出の長さが異なる挿入部を有し、かつ、挿入部の反対側に前記植木鉢の側部と当接可能な円弧状端面を有する間隔用支持片と、から構成されることを特徴とする植木鉢用懸架具。
【請求項３】
前記懸架板の穴明きが２個の四角形穴と１個の円錘形穴又は長円錘形穴からなり、また、前記懸架板受けにおける２ヶ所の突起部が四角形柱であり、かつ、前記懸架用中子における１ヶ所の突起部が円錐形台又は長円錐形台であることを特徴とする請求項ｌ又は２に記載の植木鉢用懸架具。
【請求項４】
前記懸架用中子の突起部に嵌合する逆Ｌ字状の支持腕片を着脱自在に設けたことを特徴とする請求項ｌから３のいずれかに記載の植木鉢用懸架具。
【考案の詳細な説明】
【技術分野】
【０００１】
本考案は、植木鉢を家の内外の壁面に又は塀の壁面等に懸架して、植え込まれた草花等の観賞用植物を空間に展示して観賞することができる植木鉢の懸架具に関するものである。
【背景技術】
【０００２】
従来、庭や鉢植え込みなどで草花を観賞することが多く行われている。中でも鉢植えは、庭がない場合とか、余り日が当たらない庭又は庭土が余り良くない庭の場合でも、鉢植えだとどんな場所でも植えられるし、また、鉢やコンテナに草花を植えることにより誰でも気軽に観賞できるからである。これら鉢植えの中で、通常飾れない場所に飾れるとか、空間の有効利用が可能ということから、本出願人は、以前、植木鉢を家の内外の壁面に又は塀の壁面等に懸架して、植木鉢に植え込まれた草花等の観賞用植物を空間に展示して観賞することができる懸架式植木鉢を考案した（特許文献１参照）。
【特許文献１】登録実用新案公報第３１１２７８５号公報
【考案の開示】
【考案が解決しようとする課題】
【０００３】
しかし、前記の懸架式植木鉢は、その懸架する方式が、植木鉢の懸架用フックを壁面に貼着した懸架用具に引掛ける構成であるから、時と場合により、植木鉢の荷重又は風等も加わった動荷重に対して耐えられるようにするフックの設計に制約があった。また、引掛けた懸架用フックと懸架用具との間に若干の隙間があり、植木鉢をより確実に保持できない点もあった。
【０００４】
本考案は、上記の問題点を解消するために為したものであって、その目的は、植木鉢を家の内外の壁面に又は塀の壁面等に確実に懸架して保持できる植木鉢用懸架具を提供するものである。
【課題を解決するための手段】
【０００５】
本考案（請求項ｌ）に係る植木鉢用懸架具は、合成樹脂製の円壺状又は逆円錐台状の植木鉢の側部に設けた３ヶ所の穴明きを有する単数又は複数の懸架板と、該懸架板の穴明きと嵌合する懸架用留具と、から構成される植木鉢用懸架具であって、前記懸架用留具が、合成樹脂製又は金属製であり、壁面に螺着又は釘着する複数の貼着用ねじ穴を有する貼着板と該貼着板とＬ字型に一体に形成され、かつ、反貼着板側に前記植木鉢の側部と当接可能な円弧状端面を有する張出し板と該貼着板から２枚の隔壁により離隔した位置で該張出し板上にほぼ垂直に立設され、かつ、上部の離間した２ヶ所に突起部を形成した懸架板受けとからなる留具本体と、前記貼着板と前記懸架板受けと２枚の前記隔壁に囲まれる四角形の開口部に挿嵌され、かつ、上端部に１ヶ所の懸架板受けの突起部を形成し、かつ、上部両端部で２枚の前記隔壁の上部を横架して咬持する懸架用中子と、から構成されることを特徴とする。
【０００６】
本考案（請求項ｌ）によれば、植木鉢の懸架板の穴明き３ヶと夫々が対応する懸架用留具の３ヶ所の突起部とを嵌合することにより、植木鉢を懸架用留具に確実に懸架して保持することができる。また、植木鉢を懸架用留具に自由自在に取付け取外しも容易にでき、植木鉢一個の単位で草花の展示を入れ替えることや草花の育成に適した場所への移動ができる。また、懸架用留具は家の内外の壁面や塀の壁面に螺着又は釘着することで確実に、容易に取り付けることができる。つまり、植木鉢の懸架して設置する場所を選択する制約が少ないから、鑑賞植物や鑑賞草花を観賞に適した場所に展示することが容易である。また、植木鉢の懸架板を複数にすることにより鉢の向きを自由に変えることができ、それに伴う美観も変えることが可能となる。
【０００７】
また、本考案（請求項２）に係る植木鉢用懸架具は、合成樹脂製の円壺状又は逆円錐台状の植木鉢の側部に設けた３ヶ所の穴明きを有する単数又は複数の懸架板と、該懸架板と嵌合する懸架用留具と、から構成される植木鉢用懸架具であって、前記懸架用留具が、合成樹脂製又は金属製であり、壁面に螺着又は釘着する複数の貼着用ねじ穴を有する貼着板と該貼着板とＬ字型に一体に形成され、かつ、反貼着板側に前記植木鉢の側部と当接可能な円弧状端面を有する張出し板と該貼着板から２枚の隔壁により離隔した位置で該張出し板上にほぼ垂直に立設され、かつ、上部の離間した２ヶ所に突起部を形成した懸架板受けとからなる留具本体と、上端部に１ヶ所の懸架板受けの突起部を形成し、かつ、上部両端部で２枚の前記隔壁の上部を横架して咬持し、かつ、前記貼着板と前記懸架板受けと２枚の前記隔壁に囲まれる四角形の開口部に挿嵌し、前記張出し板から下方へ突出した突出部の両側部に契合楔部を備えた懸架用中子と、上部で前記懸架用中子の契合楔部と咬合し、かつ、下部に上下３ヶ所にわたり夫々、幅と奥行き長さの異なる支持片受け部を設けた間隔用支持片受け部と、前記支持片受け部に嵌合可能な３段の幅と突出の長さが異なる挿入部を有し、かつ、挿入部の反対側に前記植木鉢の側部と当接可能な円弧状端面を有する間隔用支持片と、から構成されることを特徴とする。
【０００８】
また、本考案（請求項２）によれば、請求項１に係わる植木鉢用懸架具の作用、効果に加えて、懸架用中子を置き換えることにより、植木鉢の側部に当接して支持する間隔用支持片を設けることができ、植木鉢を懸架用留具により確実に懸架して保持することができる。また、間隔用支持片の突き出し長さが３段階に変えられるので、円壺状又は逆円錐台状の植木鉢の側部への間隔が異なった場合でも、間隔用支持片を植木鉢の側部に適切に当接させることができる。
【０００９】
また、本考案（請求項３）に係る植木鉢用懸架具は、請求項ｌ又は２に記載の植木鉢用懸架具において、前記懸架板の穴明きが２個の四角形穴と１個の円錘形穴又は長円錘形穴からなり、また、前記懸架板受けにおける２ヶ所の突起部が四角形柱であり、かつ、前記懸架用中子における１ヶ所の突起部が円錐形台又は長円錐形台であることを特徴とする。
【００１０】
また、本考案（請求項３）によれば、植木鉢の懸架板を懸架用留具に懸架して保持する場合に、確実に３ヶ所で一体的に嵌合することができ、懸架・保持を強固にすることができる。しかも、嵌合の芯合わせがし易く、嵌合作業を容易にする。
【００１１】
また、本考案（請求項４）に係る植木鉢用懸架具は、請求項ｌから３のいずれかに記載の植木鉢用懸架具において、前記懸架用中子の突起部に嵌合する逆Ｌ字状の支持腕片を着脱自在に設けたことを特徴とする。
【００１２】
また、本考案（請求項４）によれば、逆Ｌ字状の支持腕片を懸架用中子に任意に嵌めることにより、側部上側に開孔した植木鉢を容易に吊り下げ展示することが選択可能となる。
【考案の効果】
【００１３】
本考案に係る植木鉢用懸架具は、植木鉢を家の内外の壁面や塀等の壁面に容易に設置できるし、また、植木鉢１個の単位で入れ替えることも容易である。したがって、観賞の時期を迎えた鑑賞植物や鑑賞草花を適時・適所に展示して観賞することができ、また、草花の育成に適した場所への移動も容易である。また、植木鉢用懸架具は設置する場所の選択が容易であり、制約が少ないから、植木鉢を観賞植物や観賞草花を観賞に適した場所に展示することができる。また、植木鉢用懸架具は、簡単な機構で、植木鉢を確実に、強固に懸架して保持できるので、植木鉢の落下防止や風等による揺れにも問題が無いから、観賞者は植木鉢を懸架して観賞することを安心して採用できる。
【考案を実施するための最良の形態】
【００１４】
以下、本考案の実施するための最良の形態を図面に基づいて説明する。図１は、本考案の実施するための最良の形態に係る植木鉢用懸架具の全体斜視図である。図２は、図１の懸架用留具における別の実施形態の全体斜視図（ａ）、正面図（ｂ）、平面図（ｃ）、側面図（ｄ）、Ａ一Ａ矢視の断面図（ｅ）、Ｂ一Ｂ矢視の断面図（ｆ）である。図３は、図２における懸架用留具の構成部品の斜視図であって、留具（ａ）、懸架用中子（ｂ）である。図４は、図１の懸架用留具の全体斜視図（ａ）、正面図（ｂ）、平面図（ｃ）、側面図（ｄ）、Ａ一Ａ矢視の断面図（ｅ）、Ｂ一Ｂ矢視の断面図（ｆ）である。図５は、図４における懸架用留具の間隔用支持片であって、平面図（ａ）、正面図（ｂ）である。図６は、図２の懸架用留具において装着する吊下げ用支持腕片の斜視図（ａ）、正面図（ｂ）、平面図（ｃ）、Ｂ一Ｂ矢視の断面図（ｄ）である。図７は、図１の植木鉢の懸架板であって、平面図（ａ）、側面図（ｂ）である。
【００１５】
本考案の実施するための最良の形態に係る植木鉢用懸架具について図ｌに基づいて説明すると、植木鉢用懸架具は、壁面に貼着可能な懸架用留具１と、該懸架用留具１に懸架される植木鉢２の懸架板２ａと、から構成される。また、図１は、植木鉢用懸架具において、植木鉢２の懸架板２ａを懸架用留具１に懸架する直前の状態を示している。この懸架板２ａは、図７に示すように、２個の四角形状の穴明き２ｃと１個の円錐形状の穴明き２ｄを有し、円壺状植木鉢２の側部２ｂ上部において、最大外径部付近に張出して一体的に構成され射出成型法にて製作する。一方、懸架用留具１は、植木鉢の懸架のために、２ヶ所の四角形の突起部３ｂと１ヶ所の円錐形台の突起部４ａと、さらに張出し板の円弧状端面３ｅと間隔支持片７とが設けられ、３ヶ所の突起部３ｂ，４ａは懸架板２ａに設けられた夫々対応する３ヶ所の穴明き２ｃ、２ｄと嵌合し、また、円弧状端面３ｅと間隔支持片７により植木鉢２の側部２ｂと当接することにより植木鉢２を懸架用留具１に確実に懸架して保持する。  
【００１６】
因みに、植木鉢２は、円壺状の外形を有しているから、製作にあたっては成型性のよい、強度が薄肉でも高い、着色が自由にできる点で、ポリプロピレン系のプラスチック材を用いて、金型による射出成型法で製作するとよい。本例では、植木鉢２の標準的な大きさは最大外径が約１５ｃｍ、全高は約１６ｃｍである。なお、前記寸法は本考案を限定するものではない。また、図１では円壺状の植木鉢を示しているが、これに限定されることなく、通常の逆円錐台形状の植木鉢でも同効である。また、懸架用板２ａは一個のものを図示しているが、複数個備えてあってもよい。
【００１７】
また、図２、図３に示すように、懸架用留具１は留具本体３と、懸架用中子４とから構成される。留具本体３は、合成樹脂製であって、壁面に螺着又は釘着するための複数の貼着用ねじ穴３ｈを有する貼着板３ａと、該貼着板３ａとＬ字型に一体に形成され、かつ、反貼着板側に円弧状端面３ｅを有する張出し板３ｄと、該貼着板３ａから二枚の隔壁３ｆにより離隔した位置で該張出し板３ｄ上にほぼ垂直に立設され、かつ、上部に２箇所の四角形の突起部３ｂを形成した懸架板受け３ｃと、から構成されている。さらに、張出し板３ｄに、該貼着板３ａと懸架板受け３ｃと二枚の隔壁３ｆとから囲まれる部分を開口した開口部３ｇを設けていて、この開口部３ｇに前記懸架用中子４が挿嵌される。
【００１８】
また、２ヶ所の四角形の突起部３ｂは懸架板受け３ｃの上部に離隔して突出して設けて、植木鉢２の懸架板２ａの穴明き２ｃと嵌合する形状としている。また、留具本体３の開口部３ｇに挿嵌する懸架用中子４は、上端部に植木鉢２の懸架板２ａを受けるために嵌合し易くした１ヶ所の円錐台形状の突起部４ａを形成し、かつ、上部両端部にある張出し部４ｂと凹部４ｃで、夫々前記留具本体３の隔壁３ｆを跨いで咬持する。こうして懸架用中子４は、留具本体３に確実に嵌合しているので、その突起部４ａに掛かるあらゆる方向の荷重を受け持ち、次いでその荷重を留具本体３に伝達する。また、懸架板受け３ｃは、下部は張出し板３ｃと、側部は貼着板３ａと連設した隔壁３ｆ二枚と、連設して一体成型されているから、懸架板受け３ｃは植木鉢２の重量を十分支待し得る強度を持つ構造となっている。
【００１９】
また、植木鉢２は留具本体３の突起部３ｂと懸架用中子４の突起部４ａに嵌合して懸架されるから、栽培用の養土を含めた植木鉢２の重量が該突起部３ｂ，４ａを介して留具本体３の懸架板受け３ｃと懸架用中子４に掛り、また、懸架板２ａを中心にした一部の重量の回転モーメントを植木鉢２の側部２ｂの下部が張出し板３ｄの円弧状端面３ｅと接触することにより負担させる構造となっている。すなわち、張出し板３ｄの円弧状端面３ｅは植木鉢２の側部２ｂの下部と接触する構造を取っているので、懸架板受け３ｃ及び懸架用中子４並びに張出し板１７の円弧状端面１７ａとの協同作用により植木鉢２の重量及びその回転モーメントを十分負担することができる。
【００２０】
また、留具本体３は、植木鉢２の荷重を懸架板受け３ｃ及び張出し板１７並びに懸架用中子４を介して貼着板３ａに総荷重を負担させる役目から、材質は高強度で、亀裂又は引き裂き抵抗の大きい材質であるポリプロピレン系樹脂等の合成樹脂が用いられ、一体成型で製作される。また、懸架用中子４も同じ材質、製法で製作されるのがよい。本実施形態の留具本体３の標準的な大きさは、幅約５ｃｍ、高さ約５ｃｍであって、張出し板３ｄの張り出し方向は約２〜２．５ｃｍである。また、懸架用中子４は、幅約３ｃｍ、奥行き約０．６ｃｍ、高さ約２．５ｃｍである。なお、前記寸法は本考案を限定するものではない。
【００２１】
本考案に係わる植木鉢用懸架具の別の実施形態を図４、図５を用いて、前述の実施形態と異なる所のみを説明すると、図４に示すように、懸架用中子５には、前述の懸架用中子４の構成に加えて、留具本体１の開口部３ｇから下方に突き出した突出部５ｄが設けられている。また、前記突出部５ｄの中間付近で両側部に契合楔部５ｆを設けている。そして、この契合楔部５ｆに契合して懸架用中子５と結合する間隔用支持片受け部６が設けられる。前記間隔用支持片受け部６の本体には、図４ｆに示すように、留具本体３の張出し板と並行する方向に間隔用支持片７を挿入・支持するための３段の夫々幅及び奥行きの異なる支持片受け部６ａ、６ｂ、６ｃが設けられる。
【００２２】
また、前記間隔用支持片７は、図５に示すように平板であり、一端に夫々幅及び突出長さが異なる３段の挿入部７ａ、７ｂ、７ｃを有し、その反対側には植木鉢２の側部２ｂと当接する円弧状端面７ｄを有する。このように植木鉢２の側部２ｂの下方で当接して支持する間隔用支持片７は、間隔用支持片受け部６の３ヶ所の支持片受け部６ａ、６ｂ、６ｃの内、確実に当接できる１ヶ所を選択し挿入されて、懸架用中子５と確実に結合され、ひいては留具本体３に結合している。図４ｆに示すように、植木鉢２の荷重は、懸架板２ａを介して３ヶ所の突起部３ｂ，３ｂ，５ａが負担し、一方懸架板２ａを中心とする一部荷重の回転モーメントは張出し板３ｄの円弧状端面３ｅで負担すると共に、更にそれより下方にある間隔用支持片７の円弧状端面７ｄで効率よく負担することができる。すなわち、本実施形態の方が、植木鉢２で、特に深さの深い、径の大きい植木鉢２をより確実に懸架し支持することができる。また、これら懸架用中子５、間隔用支持片受け部６、間隔用支持片７は、寸法精度、強度が高い点で、ポリプロピレン系合成樹脂で一体成型で製作するのがよい。
【００２３】
また、図６に示すように、懸架用中子４（又は５）の突起部４ａ（又は５ａ）に任意に着脱して嵌合できる嵌合部８ａを有する支持腕片８を設けることができる。前記支持腕片８は、逆Ｌ字形状を呈し、上部横行部の先端近くに吊下げ部８ｂ設けており、植木鉢２の側部２ｂ上部にある開口部（図示しない）を引掛けて吊下げることも可能となる。これにより側部２ｂ上側に開孔した植木鉢２を容易に吊り下げ展示することが選択可能となる。また、前記支持腕片８も寸法精度、強度が高い点で、ポリプロピレン系合成樹脂で一体成型で製作するのがよい。
【００２４】
この本考案の植木鉢用懸架具を用いた植木鉢２の使用状態について、図１に示しているように、懸架用留具１に１個の植木鉢２を懸架して植木鉢２内に草花等の観賞用植物（図示しない）を栽培して展示している。本考案に係る植木鉢懸架具は、前述したように家の内外の壁面や塀等の壁面に貼着した状態で設置できるので、設置面積が少なくても、空間を有効に利用して草花等の観賞用植物を展示することができるので、従来にない様式で草花植物や観葉植物の観賞が可能となる。また、生花でない造花や作り物の観葉植物等も植木鉢懸架具を用いた植木鉢２で観賞するための展示が可能である。
【００２５】
また、本考案の植木鉢用懸架具を用いると、植木鉢２を入れ替えるための取り外しが容易であるから、展示する植物の植木鉢２を入れ替えたり、または、観賞用植物を育成に適した別の場所で育て、見ごろになった頃に、懸架用留具１に移設して展示することもできるので、植木鉢２での観賞用植物の展示及び育成面で作業が容易であるとともに、これら作業を選択する自由度も大きい。また、植木鉢用懸架具は壁面に螺着、釘着又は貼付けと適宜選択できる懸架用留具１が付随しているから、家の内外の壁面や塀等の壁面に懸架するのが容易であり、展示の姿が自由に変えられ、観賞の幅が広がる利点が有る。植木鉢用懸架具の懸架場所の変更も、懸架用留具１を付け替えるだけであり、場所変更の作業も容易で、ひいては、場所の選択もし易い。  
【産業上の利用可能性】
【００２６】
植木鉢用懸架具を介して壁面に装着された植木鉢であるので、植木鉢の外形美と相俟って草花等の観賞用植物や観葉植物等の観賞に美感を助長し、かつ、観賞植物ごと植木鉢が入れ替え易いので、園芸分野で利用できる。
【図面の簡単な説明】
【００２７】
【図１】本考案の実施するための最良の形態に係る植木鉢用懸架具の全体斜視図である。
【図２】図１の懸架用留具における別の実施形態の全体斜視図（ａ）、正面図（ｂ）、平面図（ｃ）、側面図（ｄ）、Ａ一Ａ矢視の断面図（ｅ）、Ｂ一Ｂ矢視の断面図（ｆ）である。
【図３】図２における懸架用留具の構成部品の斜視図であって、留具（ａ）、懸架用中子（ｂ）である。
【図４】図１の懸架用留具の全体斜視図（ａ）、正面図（ｂ）、平面図（ｃ）、側面図（ｄ）、Ａ一Ａ矢視の断面図（ｅ）、Ｂ一Ｂ矢視の断面図（ｆ）である。
【図５】図４における懸架用留具の間隔用支持片であって、平面図（ａ）、正面図（ｂ）である。
【図６】図２の懸架用留具において装着する吊下げ用支持腕片の斜視図（ａ）、正面図（ｂ）、平面図（ｃ）、Ｂ一Ｂ矢視の断面図（ｄ）である。
【図７】図１の植木鉢の懸架板であって、平面図（ａ）、側面図（ｂ）である。
【符号の説明】
【００２８】
１：懸架用留具        ２：植木鉢        ２ａ：懸架板      ２ｂ：側部 
２ｃ：穴明き        ２ｄ：穴明き
３：留具本体        ３ａ：貼付板        ３ｂ：突起部    ３ｃ：懸架板受け
３ｄ：張出し板      ３ｅ：円弧状端面    ３ｆ：隔壁      ３ｇ：開口部
４：懸架用中子      ４ａ：突起部        ４ｂ：張出し部  ４ｃ：凹部
５：懸架用中子      ５ａ：突起部        ５ｂ：張出し部  ５ｃ：凹部
５ｄ：突出部      ５ｆ：契合楔部    
６：間隔用支持片受け部      ６ａ、６ｂ、６ｃ：支持片受け部  
７：間隔用支持片        ７ａ、７ｂ、７ｃ：挿入部      ７ｄ：円弧状端面
８：支持腕片        ８ａ：嵌合部    ８ｂ：吊下げ部
【図１】
0003115526.tif 000003
【図２】
0003115526.tif 000004
【図３】
0003115526.tif 000005
【図４】
0003115526.tif 000006
【図５】
0003115526.tif 000007
【図６】
0003115526.tif 000008
【図７】
0003115526.tif 000009